(57)【要約】【課題】  高さの低い場所を手際よく掃除することができ、且つ高さの低い場所に容易に収納することのできるアップライト型電気掃除機を提供する。【解決手段】電動送風機２を内蔵した掃除機本体３と、掃除機本体３の下部に設けられ走行用の車輪６，７を有する吸込口体４と、掃除機本体３の上部に設けられた把手部５とを備え、掃除機本体３が吸込口体４に対して傾動自在であるアップライト型電気掃除機１であって、掃除機本体３を傾動させて床面上を摺動させたときの、掃除機本体３の下部背面角部と床面との摩擦を低減する起毛材１２を、掃除機本体３の下部背面角部に設けた。【選択図】        図１
2005185531.tif 000002
【特許請求の範囲】
【請求項１】
電動送風機を内蔵した掃除機本体と、前記掃除機本体の下部に設けられ走行用の車輪を有する吸込口体と、前記掃除機本体の上部に設けられた把手部とを備え、前記掃除機本体が前記吸込口体に対して傾動自在であるアップライト型電気掃除機であって、
前記掃除機本体を傾動させて床面上を摺動させたときに、該掃除機本体の背面のうち前記床面と接触する箇所に、該床面との摩擦を低減する面状摩擦低減部材を設けたことを特徴とするアップライト型電気掃除機。
【請求項２】
前記掃除機本体を傾動させて置いたときに該掃除機本体の転がりを阻止する凸部を、前記掃除機本体の背面に設けたことを特徴とする請求項１に記載のアップライト型電気掃除機。
【発明の詳細な説明】
【技術分野】
【０００１】
本発明は、掃除機本体に吸込口体が直接取り付けられたアップライト型電気掃除機に関するものである。
【背景技術】
【０００２】
アップライト型電気掃除機は、電動送風機を内蔵した縦長の掃除機本体を有し、その掃除機本体の上部に把手部が、下部に吸込口体がそれぞれ設けられている。掃除機使用者は把手部を手で持って、吸込口体を被清掃面に当てながら掃除機本体を前後方向に移動させることにより、被清掃面を掃除する。吸込口体の下面には一対の車輪が設けられ、掃除機本体を前後方向へ移動させる際の操作力低減が図られ、また掃除機本体は吸込口体に対して傾動自在となっており、掃除機使用者が無理のない姿勢で掃除を行うことができるようになっている（例えば、特許文献１参照）。
【０００３】
また、上記アップライト型電気掃除機を用いて、ベッドの下など高さの低い場所を掃除する場合、掃除機使用者は掃除機本体を大きく傾動させて、掃除機本体がほとんど床面に接触した状態で掃除を行う。この場合、掃除機本体をほとんど床面に接触させた状態にすると、掃除機本体の重量が掃除機使用者の腕にまともに掛かってしまうので、これを避けるため、上記アップライト型電気掃除機では掃除機本体の背面に小さな１つの車輪が設けられ、この小さな車輪で掃除機本体の重量を受けるように構成されている。
【特許文献１】特許第３０３５７８６号公報
【発明の開示】
【発明が解決しようとする課題】
【０００４】
しかしながら、上記従来の技術では、ベッドの下など高さの低い場所を手際よく掃除するという点では十分ではない。すなわち、従来のアップライト型電気掃除機では、掃除機本体をほとんど床面に接触した状態にすると、吸込口体の一対の車輪と掃除機本体背面の１つの車輪とが床面に接触し、掃除機本体は３つの車輪で３点支持されることになるため、掃除機本体を前後方向に移動させるのは楽であるが、斜め方向や、さらには横方向に移動させるのが難しいという欠点がある。このため、従来のアップライト型電気掃除機では、掃除機本体を前後方向に移動させながら、少しずつ横方向へ移動させなければならず、手際よく掃除することができない。
【０００５】
また、掃除機本体を斜め方向や横方向に容易に移動させることができないと、電気掃除機をベッドの下に収納する際に、ベッド下に荷物などが置かれていると、その荷物を容易に避けることができず、収納にも手間が掛かる。
【０００６】
本発明の課題は、高さの低い場所を手際よく掃除することができ、且つ高さの低い場所に容易に収納することのできるアップライト型電気掃除機を提供することにある。
【課題を解決するための手段】
【０００７】
上記課題を解決するために、本発明の特徴とするところは、掃除機本体の背面のうち床面と接触する箇所に面状摩擦低減部材を設けたことである。すなわち、本発明は、電動送風機を内蔵した掃除機本体と、前記掃除機本体の下部に設けられ走行用の車輪を有する吸込口体と、前記掃除機本体の上部に設けられた把手部とを備え、前記掃除機本体が前記吸込口体に対して傾動自在であるアップライト型電気掃除機であって、前記掃除機本体を傾動させて床面上を摺動させたときに、該掃除機本体の背面のうち前記床面と接触する箇所に、該床面との摩擦を低減する面状摩擦低減部材を設けたことを特徴としている。
【０００８】
ベッドの下など高さの低い場所を掃除する際に掃除機本体を大きく傾動させると、掃除機本体の背面の一部が床面に接触するが、上記構成によれば、床面と接触する箇所には面状摩擦低減部材が設けられているので、床面との間の摩擦力低減を図ることができるとともに、掃除機本体を前後方向は勿論、斜め方向にも横方向にも容易に移動させることができる。その結果、ベッドの下など高さの低い場所を手際よく掃除することが可能となる。
【０００９】
また、掃除機本体を前後方向、斜め方向および横方向に任意に移動させることができるため、電気掃除機収納の際にベッド下の荷物などを避けながら掃除機本体をベッドの下に容易に押し込むことができ、収納に手間が掛からない。
【発明の効果】
【００１０】
本発明によれば、掃除機本体の背面のうち床面と接触する箇所に面状摩擦低減部材を設けたので、ベッドの下など高さの低い場所を手際よく掃除することができ、また高さの低い場所に電気掃除機を容易に収納することができる。
【発明を実施するための最良の形態】
【００１１】
以下、本発明の実施例を図面に従って説明する。
【実施例】
【００１２】
図１は本発明に係るアップライト型電気掃除機の全体斜視図である。このアップライト型の電気掃除機１は、電動送風機２を内蔵した掃除機本体３と、掃除機本体３の下部に設けられた吸込口体４と、掃除機本体３の上部に設けられた把手部５とを備えている。
【００１３】
吸込口体４には下面一側に一対の車輪６，６が回転自在に取り付けられ、これら車輪６，６によって、電気掃除機１全体を被清掃面である床面に沿って前後方向（図１の矢印Ａ方向）に容易に移動させることができる。
【００１４】
掃除機本体３は、吸込口体４に対して矢印Ｂ方向に傾動自在に設けられている。すなわち、掃除機本体３と吸込口体４との接続部７は吸込口本体８に傾動自在に取り付けられ、掃除機本体３は矢印Ｂ方向の任意角度に傾動可能である。また、掃除機本体３には、その下部に集塵容器９が着脱自在に取り付けられている。
【００１５】
把手部５は矢印Ｃ方向に伸縮自在で、掃除の際に、掃除機使用者は扱いやすい長さに把手部５を引き伸ばすとともに、その長さで把手部５の位置をロックして、掃除を行うことができる。
【００１６】
なお、１０はコードであり、このコード１０の先端にはプラグ１１が設けられている。図示してないが、掃除機本体３の内部にはコード巻取り装置が設けられ、このアップライト型の電気掃除機１を使用しないときには、コード１０は前記コード巻取り装置に巻き取られている。
【００１７】
本実施例では、掃除機本体３の背面側（集塵容器９の反対側）の角部に、面状摩擦低減部材として起毛布１２が取り付けられている。この起毛布１２は面状をなし、図２に示すように、掃除機本体３の背面下部３Ａから掃除機本体３の下部端面３Ｂに亘って設けられている。なお、掃除機本体３の背面側は円筒面をなしている。
【００１８】
また、本実施例では、掃除機本体３の背面上下中間位置に、掃除機本体３から横方向に突出した凸部１３が掃除機本体３に一体的に設けられている。この凸部１３は、図３に示すように、突出先端が角形の一部をなし、掃除機本体３を大きく傾動させて、つまり横にして床面に置いたとき、掃除機本体３の姿勢を安定に維持できるようになっている。なお、凸部１３をゴム等の弾性部材で形成してもよい。また凸部１３の先端にゴム等の弾性部材を貼り付けることもできる。
【００１９】
次に、上記構成の電気掃除機１の作用について説明する。
【００２０】
まず、ベッドの下など高さの低い場所を掃除する場合、掃除機使用者は、図４に示すように、吸込口体４に対して掃除機本体３が傾動していない状態（吸込口体４と掃除機本体３とが略直角に配置されている状態）にしてから、把手部５を手で持って電気掃除機１全体を大きく傾けて床面１４（床面１４はベッドの下などに繋がっている床面である）に接近させる。そして、ほぼこの姿勢を維持しながら掃除機本体３を床面１４上で、前後方向、斜め方向または横方向に摺動させて、ベッドの下などを掃除する。
【００２１】
本実施例では掃除機本体３の背面側角部に起毛布１２が取り付けられているので、床面１４との間の摩擦力を低減することができる。起毛布１２は布地に多数の細かい起毛が植えつけられており、掃除機本体３が移動して床面１４とこすれあったとき、多数の起毛は掃除機本体３の移動方向とは反対の同一方向を向き、床面１４との間の接触面積を小さくできるため、床面１４との間の摩擦力を低減することができるのである。その結果、掃除機使用者は電気掃除機１を軽い操作力で床面１４上を摺動させることができ、掃除を楽に行うことができる。
【００２２】
次に、ベッドの下などに収納する場合、掃除を行うときと同様、図４のように前記掃除機１全体を大きく傾けて床面１４に接近させ、この姿勢を維持したまま掃除機本体３を床面１４上で摺動させ、電気掃除機１全体をベッドの下などに押し込んでいく。
【００２３】
この場合も、掃除機本体３の背面側角部に起毛布１２が取り付けられているので、床面１４との間の摩擦力が低減され、電気掃除機１を軽い操作力で床面１４上を摺動させることができ、ベッドの下などに押し込んで収納することが可能となる。
【００２４】
電気掃除機１をベッドの下などに収納したら、掃除機使用者は把手部５から手を離す。本実施例では、起毛布１２が面状をなし、しかも掃除機本体３の背面側上下中間位置に一部角形をなした凸部１３が設けられているので、収納後の電気掃除機１の姿勢を安定に維持することができる。この場合、凸部１３の少なくとも先端側にゴム等の弾性部材を設けておけば、掃除機使用者が把手部５から手を離したときの掃除機本体３への衝撃を緩和することができる。
【００２５】
本実施例によれば、掃除機本体３の背面側角部に起毛布１２を設け、さらに掃除機本体３の背面側上下中間位置に凸部１３を設けたことにより、アップライト型の電気掃除機１をベッドの下など高さの低い場所に容易に収納できるとともに、収納した後の電気掃除機１の姿勢を安定に維持することが可能となる。
【００２６】
なお、起毛布１２の代わりに、掃除機本体３の背面側角部に、表面粗さの小さい樹脂を設けてもよい。また、掃除機本体３の背面側角部に、掃除機本体３の軸方向に沿った小さな突条を複数設けてもよい。
【図面の簡単な説明】
【００２７】
【図１】本発明に係るアップライト型電気掃除機の全体斜視図である。
【図２】図１のアップライト型電気掃除機の側面図である。
【図３】掃除機本体の背面上下中間位置に設けられた凸部の斜視図である。
【図４】図１のアップライト型電気掃除機をベッドの下など高さの低い場所に収納する様子を示した図である。
【符号の説明】
【００２８】
１  アップライト型の電気掃除機
２  電動送風機
３  掃除機本体
４  吸込口体
５  把手部
６  車輪
９  集塵容器
１２  起毛布
１３  凸部
１４  床面
【図１】
2005185531.tif 000003
【図２】
2005185531.tif 000004
【図３】
2005185531.tif 000005
【図４】
2005185531.tif 000006